(57)【要約】  再生装置（１）内のディスク形状データ担体、例えば、ＣＤ又はＤＶＤの適正存在を確認するための方法及び装置において、データ担体（８）の第一境界面で開始し、データ担体（８）を通過し、データ担体（８）の第二境界面で終了する伝送経路を有するデータ担体（８）が使用され、伝送経路は試験ビームを通し、光学試験ビームが提供され、データ担体（８）が公称位置に存在するとき、試験ビームは、伝送経路を使用して前記データ担体（８）を通過され、伝送経路を用いてデータ担体（８）を通過される試験ビームが検出される。
2007531184.tif 000002
【特許請求の範囲】
【請求項１】
記録及び／又は再生装置の内部の公称位置にあるディスク形状のデータ担体の適正存在を確認する方法であって、
前記データ担体の第一境界面で開始し、前記データ担体を通過し、且つ、前記データ担体の第二境界面で終了する伝送経路を有するデータ担体を使用し、該伝送経路は試験ビームを通し、光学試験ビームが提供され、前記データ担体が公称位置に存在するとき、前記試験ビームは、前記伝送経路を使用して前記データ担体を通過され、前記伝送経路を用いて前記データ担体を通過される前記試験ビームが検出される、方法。
【請求項２】
通路開口境界面によって境界が定められる中央通路開口と、外周境界面によって境界が定められる外周と、前記通路開口境界面から前記外周境界面に延在する伝送経路とを有するデータ担体が使用され、前記試験ビームは、前記データ担体の前記通路開口境界面を介して前記伝送経路に供給され、前記試験ビームが前記データ担体の前記外周境界面を介して前記データ担体から出た後、前記試験ビームが検出される、請求項１に記載の方法。
【請求項３】
前記試験ビームは、前記伝送経路に侵入する前に、そのビーム方向に関して偏向される、請求項１又は２に記載の方法。
【請求項４】
提供される前記試験ビームは、変調パラメータに関して変調される試験信号を用いて生成され、前記変調パラメータに関して変調される検出信号が、前記伝送経路を使用して前記データ担体を通過される前記試験ビームを用いて生成され、前記試験信号及び前記検出信号の前記変調パラメータの値が評価される、請求項１に記載の方法。
【請求項５】
前記データ担体を通過される前記試験ビームを受信するための受信器が、前記試験ビームを提供する源の特徴的機能、例えば、前記試験ビームの波長及び類似物に整合される、請求項１に記載の方法。
【請求項６】
前記試験ビームは前記ディスク形状のデータ担体の前記円周に沿った複数の位置で検出され、複数の検出結果が相応して形成され、該検出結果は共同評価のために渡される、請求項１に記載の方法。
【請求項７】
記録及び／又は再生装置の内部の公称位置にあるディスク形状のデータ担体の適正存在を確認するための装置であり、前記データ担体は、前記データ担体の第一境界面で開始し、且つ、前記データ担体の第二境界面で終了する伝送経路を有し、該伝送経路は試験ビームを通す装置であって、
試験ビームを提供するための供給手段と、前記データ担体がその公称位置にあるときに、前記第二境界面で前記伝送経路から現れる少なくとも１つの試験ビームを検出するための検出手段とを含み、前記供給手段は、前記データ担体がその公称位置に存在するときに、少なくとも１つの試験ビームが、前記データ担体の第一境界面で前記伝送経路に供給され得るよう設計され且つ配置される、装置。
【請求項８】
前記データ担体は、通路開口境界面によって境界を定められる中央通路開口と、外周境界面によって境界を定められる外周と、前記通路開口境界面から前記外周境界面に延在する伝送経路とを有し、前記供給手段は、前記データ担体の前記通路開口境界面に隣接して配置される光源によって形成され、前記検出手段は、複数の試験ビーム受信器によって形成され、該試験ビーム受信器は、前記データ担体の前記外周境界面に沿って前記外周境界面に隣接して配置される、請求項７に記載の装置。
【請求項９】
前記複数の試験ビーム受信器は、本質的に等距離の角度間隔で分配されて配置される、請求項８に記載の装置。
【請求項１０】
少なくとも１つの偏向素子、具体的には、偏向鏡が、前記試験ビームを偏向するために設けられ、前記少なくとも１つの偏向素子によって、前記試験ビームは、そのビーム方向に関して、前記伝送経路に向かって偏向され得る、請求項７、８、又は、９に記載の装置。
【請求項１１】
前記提供手段は、変調パラメータに関して変調される試験ビームを生成するよう構成され、該試験ビームは、少なくとも１つの試験ビームを生成するために用いられることができ、前記検出手段は、前記変調パラメータに関して変調される検出信号を生成するよう構成され、該検出信号は、前記伝送経路を使用して前記データ担体を通過される前記試験ビームによって生成され、評価手段が提供され、該評価手段は、前記提供手段に結合され、且つ、前記試験信号及び前記検出信号の前記変調パラメータの値を評価するよう構成された、請求項７、８、又は、９に記載の装置。
【請求項１２】
請求項７乃至１１のうちいずれか１項に記載の装置を含む記録及び／又は再生装置。
【請求項１３】
子供用玩具における請求項１乃至６のうちいずれか１項に記載の方法及び／又は請求項７乃至１１のうちいずれか１項に記載の装置の使用。
【発明の詳細な説明】
【技術分野】
【０００１】
本発明は、公称位置にあるディスク形状データ担体の適正存在を確認する方法に関する。
【０００２】
本発明は、さらに、公称位置にあるディスク形状データ担体の適正存在を確認する装置に関する。
【０００３】
本発明は、さらに、第二段落に述べられている種類の装置を含むディスク形状データ担体のための記録及び／又は再生装置に関する。
【０００４】
本発明は、さらに、第一段落に述べられている方法及び第二段落に述べられている種類の装置の使用に関する。
【背景技術】
【０００５】
例えば、ＣＤ又はＤＶＤのような、ディスク形状データ担体用の記録及び／又は再生装置の使用と関連して、ディスク形状データ担体は、レーザビームによって走査され、使用者は、安全性の理由から、ディスク形状データ担体を走査するために用いられるレーザビームをどんなことがあっても直接的に覗き込み得ないことが必要である。従って、特に、ディスク形状データ担体が再生装置内にない場合、或いは、ディスク形状データ担体用のホルダ内に位置しない場合、レーザの動作が確実に阻止されることが保証されなければならない。
【０００６】
記録及び／又は再生装置、或いは、そのようなディスク形状データ担体用の装置に関連して、ディスク形状データ担体が、装置から出るよう移動され得る且つ引出しと類似して設計されるホルダ上に収容される実施態様は既知であり、データ担体がホルダ上に配置されるや否や、ホルダは装置内に引き戻され、装置内の公称位置内にあるデータ担体を備えるホルダの適正存在が確認される場合にのみ装置の動作が起こり得る。そのような装置では、使用者によるレーザビームとの直接的な可視的な接触の可能性は実質的にないので、そのような再生装置では、適切な安全手段は、通常、ホルダの位置を確認することに限定される。
【０００７】
例えば、装置の頂部に配置される収容開口と関連して、収容開口は、例えば、旋回可能なカバーによって開閉されることができ、ディスク形状データ担体は、カバーが開閉され或いは旋回されるや否や、収容開口内に配置される。普通、挿入されるディスク形状データ担体の真下に設けられる、データ担体の走査用のレーザビームを形成するためのレーザは、データ担体が装置内に適正に配置され且つカバーが閉塞された時にのみ動作されることが保証されなければならない。
【０００８】
この関連で、例えば、米国特許第４，４９９，５７１号は、ディスク形状データ担体、例えば、ＣＤの存在を決定し且つ／或いは検査するために使用し得る検出器を含む装置設計を開示しており、ディスク形状データ担体の回転運動を確認し或いは監視するための検出器が追加的に設けられている。この既知の装置設計では、２つの検出器からの信号が評価されるや否や、その公称位置内のディスク形状データ担体の適正存在が確認される場合に限り、レーザビーム源の動作が生じ得る。しかしながら、この既知の装置設計では、例えば、鏡によって、或いは、収容空間内に類似素子を配置することによって、ホルダ又は収容空間内のディスク形状データ担体の存在又は不存在を検査するための検出器を迂回し得るので、たとえディスク形状データ担体が装置内に適正に配置されない或いは存在しなくとも、レーザビーム源が動作され得るという危険性があることが不利であることが分かっている。
【０００９】
例えば、もし、設計上の理由から、ディスク形状データ担体のための収容開口用のカバー又は蓋がないならば、既知の種類の装置内の検出器の迂回のそのような可能性はなおさら顕著であるので、不適切な使用の場合には、レーザビームとの直接的な接触があり得る。既知の装置中のディスク形状データ担体の適正配置を検査するための検出器又は安全装置のそのような比較的単純な迂回の可能性は、様々な記録及び／又は再生装置との関係で、並びに、特に、より高い安全要件を満足しなければならないそれらの装置において、例えば、子供又は身体障害者による使用のために設計されたそれらの装置において、そのような既知の安全システムを不適切にする。
【発明の開示】
【発明が解決しようとする課題】
【００１０】
上述の不利点を回避し得る第一段落において述べられている種類の方法、第二段落に述べられている種類の装置、第三段落において述べられている記録及び／又は再生装置、及び、第四段落において述べられている種類の使用を提供することが本発明の目的である。
【課題を解決するための手段】
【００１１】
上記目的を達成するために、本発明に従った方法を以下のように特徴付け得る。
【００１２】
記録及び／又は再生装置内の公称位置にあるディスク形状のデータ担体の適正存在を確認する方法であって、データ担体の第一境界面で開始し、データ担体を通過し、且つ、データ担体の第二境界面で終了する伝送経路を有するデータ担体を使用し、伝送経路は試験ビームを通し、光学試験ビームが提供され、データ担体が公称位置に存在するとき、試験ビームは、伝送経路を使用してデータ担体を通過され、伝送経路を用いて伝送経路を通過される試験ビームが検出される方法。
【００１３】
上記目的を達成するために、本発明に従った装置を以下のように特徴付け得る。
【００１４】
記録及び／又は再生装置内の公称位置にあるディスク形状のデータ担体の適正存在を確認するための装置であり、データ担体は、データ担体の第一境界面で開始し、且つ、データ担体の第二境界面で終了する伝送経路を有し、伝送経路は試験ビームを通す装置であって、試験ビームを提供するための供給手段と、データ担体がその公称位置にあるときに、第二境界面で前記伝送経路から現れる少なくとも１つの試験ビームを検出するための検出手段とを含み、供給手段は、データ担体がその公称位置に存在するときに、少なくとも１つの試験ビームが、データ担体の第一境界面で伝送経路に供給され得るよう設計され且つ配置される装置。
【００１５】
上記目的を達成するために、本発明に従った記録及び／又は再生装置において、本発明に従った装置が提供される。
【００１６】
上記目的を達成するために、本発明に従って、本発明に従った方法及び／又は本発明に従った装置が子供用玩具において提供される。
【００１７】
本発明に従った手段によって、既知の実施態様においては可能であった、検出器又は検出器によって形成される安全装置の迂回は、もはや実質的に可能ではない。何故ならば、本発明によれば、使用者の目と直接的に接触する場合にも有害ではない、提供される光学試験ビームが、ディスク形状データ担体の伝送経路を適正に通過するときに限り、レーザビーム又はレーザビーム源の活性化が起こり、伝送経路は特定の進路を有する。よって、本質的に、ディスク形状データ担体の伝送経路は、光導波管と同様に使用されるので、ディスク形状データ担体が装置又は装置のホルダ内の公称位置に正しく配置されるときに限り、検出手段による試験ビームの検出が可能である。何故ならば、ディスク形状データ担体が適正に正しく位置付けられた後に限り、光源から検出手段への伝送経路を使用して、ディスク形状データ担体の少なくとも部分地域を通じた試験ビームの伝送が可能であり、伝送経路はデータ担体の一部によって形成される。よって、簡単な手段を使用して、具体的には、使用者への危険を提起することなしに、ディスク形状データ担体が装置内に適正に位置付けられたときに限り、データ担体又はその上に記憶されたデータを走査するために使用されるレーザビームが活性化されることが保証される。
【００１８】
さらに、本発明に従った方法及び本発明に従った装置の脈絡において、本発明に従った方法及び本発明に従った装置によって形成される安全装置を迂回することは可能でない。何故ならば、再生装置内に適正に配置されるときにディスク形状データ担体が使用される光導波管は、光源によって伝送される試験ビームを検出手段に適正に送るために直ちに利用可能にされ得ないからである。本発明に従った方法及び本発明に従った装置によって提供される安全システムが通常の使用者によって実質的に迂回され得ないという事実の故に、本発明に従った方法及び本発明に従った装置は、普通より高い安全基準が満足されなければならない子供用玩具においても特に適する。
【００１９】
請求項２及び８の手段によれば、ディスク形状データ担体の正しい位置又は存在の確認の脈絡内で、試験ビームが、ディスク形状データ担体の円周に隣接して設けられた少なくとも１つの受信器に到達する前に、試験ビームは少なくとも一回ディスク形状データ担体を少なくともほぼ放射方向に通過しなければならないので、引き続きレーザビームを活性化するのに必要とされる信号は、ディスク形状データ担体の適正な位置又は存在からの僅かな偏差の場合においてさえも、少なくとも１つの受信器によって受信され得ないという利点が得られる。試験ビーム源として発光ダイオード（ＬＥＤ）を提供することによって、簡単な手段のみを使用することが可能であり、ＬＥＤも安価な方法で製造され得る。
【００２０】
請求項３及び９の手段によれば、ディスク形状データ担体のための装置のホルダの領域における普通は限定的である空間条件でさえ、試験ビームがディスク形状データ担体の縁部の領域に確実に設けられ得るので、試験ビームはディスク形状データ担体内に適正に導入され、且つ、ディスク形状データ担体のディスク平面の方向において少なくとも部分地域を通過することができ、ディスク形状データ担体は本質的に光導波管として使用されるという利点が得られる。試験ビームのビーム装置を適切に偏向することによって、具体的には、ディスク形状データ担体の縁部領域内の光ビームの適正侵入が、光源の位置決めとは時々無関係に保証され得る。例えば光ビームを偏向するための偏向鏡の代わりに、例えば試験ビームをディスク形状データ担体の縁部領域内の所望位置に持ち込むために、適切な光導波管も用い得る。
【００２１】
請求項４及び１１の手段によれば、例えば、散乱光のような、例えば、環境的影響の効果を大きく除外し得るという追加的な利点が得られる。本発明に従った方法の脈絡内の並びに本発明に従った装置を使用するときの評価の安全性及び信頼性がさらに増大する。何故ならば、信号が少なくとも１つの受信器で検出されるときに限り、レーザビーム又はレーザビーム源の活性化が起こり、検出信号のパルス形状及び／又はパルス列は、試験ビームの光源によって出力される信号シーケンスのパルス形状及び／又はパルス列と比較されるからである。
【００２２】
請求項５の手段によれば、環境的影響がさらに最小限化されるよう、検出信号の評価中の信頼性がさらに増大され得る。
【００２３】
請求項６及び９の手段によれば、評価の精度、よって、安全性がさらに増大される。何故ならば、信号が、レーザ源が活性化される前に、データ担体の円周に隣接する複数の地点で受信されなければならないからである。一般的には、非束状の光ビーム又は試験ビームのための光源を使用することによって、この試験ビームは、場合によってはディスク形状データ担体内の適切な反射器によって補助されて、ディスク形状データ担体の範囲の比較的大きな部分地域に亘って分配されるので、評価され得る適切な信号は、ディスク形状データ担体の円周に隣接する複数の地点で実際に受信され得る。
【００２４】
ディスク形状データ担体の範囲を通じて可視光ビームを分配することによって、達成され得る安全性の他に、光学的に認知可能な効果も達成されることができ、特にカバーを備えない受信室を有する再生装置の場合には、これは有利である。
【００２５】
記録及び／又は再生装置の受信室又はホルダ内のディスク形状データ担体の適正且つ正しい存在又は位置が確認されるときに限り、データ担体を走査するために提供されるレーザビーム源が、休止位置からディスク形状データ担体の下の活性位置に通るよう、本発明に従った方法及び装置を有利に使用し得る。休止位置において、レーザ又はレーザビーム源は、ディスク形状データ担体の外のり寸法の外側、具体的には、追加的なカバー又は保護装置の下の位置をとる。
【００２６】
既に数度上述されたように、それらは増大された安全基準を満足するので、本発明に従った方法及び本発明に従った装置は、安全装置の操作又は迂回がより困難にされ或いは実質的に不可能にされた子供用玩具に特に適しているので、本発明によれば、本発明に従った方法及び本発明に従った装置は子供用玩具内に好適に使用され或いは統合される。
【００２７】
本発明の上述の特徴及びさらなる特徴は、以下に記載される実施態様の例から浮かび上がり、且つ、実施態様のこれらの実施例をを参照して説明される。
【００２８】
本発明は図面に示される実施態様の例を参照してさらに記載されるが、本発明はそれらに限定されない。
【発明を実施するための最良の形態】
【００２９】
図１は、筐体２を有する記録及び／又は再生装置１を示している。光学走査装置３は、とりわけ、レーザビーム源４を含み、図１に示される実施態様において、光学走査装置３及びレーザ光源４は、活性位置又は走査位置に持ち込まれ得るよう、光学走査装置３が特に透明でないカバー５より下に位置する図１に示される休止位置の間を、ディスク形状データ担体（図１中に概略的に示されている）を走査するためのガイド又はガイドレール６に沿って、二重矢印７の方向にガイド６に沿って前後に移動可能である。
【００３０】
光学走査装置３の動作モード並びにディスク形状データ担体８を走査するために必要とされる駆動運動は概ね既知であり、ここでは如何なるより大きな詳細も記載されない。
【００３１】
さらに、ディスク形状データ担体８を駆動するための駆動素子９（同様にそれ自体既知である）が設けられていることが図１から分かり、駆動素子９は、ディスク形状データ担体８の本質的に中央通路開口１０の領域内で作用し、且つ、データ担体８を協働する。
【００３２】
また、図１中に設けられているのは、例えば、発光ダイオード（ＬＥＤ）によって形成される光源１１であり、光源は、以下により詳細に説明されるように、ディスク形状データ担体８を少なくとも部分的に通過し、且つ、ディスク形状データ担体８のための受信開口又はホルダの円周上に配置された受信器１３内に受信される試験ビームをもたらす。レーザビーム源４の後続の活性化のために、受信試験ビームに基づいて、受信器１３内に得られる信号の評価が、具体的に、図５乃至７を参照して以下に記載される。
【００３３】
光学走査装置３をガイド６に沿って移動するための駆動ステージ１４が、図１に示されている。同じく示されているのは、駆動素子９を駆動するためのさらなる駆動ステージ１５である。
【００３４】
拡大されたアクセス開口１６も、ディスク形状データ担体８のための受信開口１２に沿って設けられており、そのアクセス開口を介して、使用者はデータ担体８に手動でアクセスし得る。
【００３５】
図２に示される図面では、試験ビームのための光源１１が、ディスク形状データ担体８の平面の実質的に下に配置されていること、並びに、図３及び４の概略図中により詳細に示されるように、試験ビームが、中央通路開口１０の領域でディスク形状データ担体８に導入されることが分かり得る。図２に示される図面には、ディスク形状データ担体、具体的には、ＣＤ又はＤＶＤの適切な保持のための追加的な締付装置１７が、その公称位置において、駆動素子９の領域内に設けられている。
【００３６】
図３の図面では、複数の可能な伝送通路又はビーム経路が、ディスク形状データ担体８の範囲内に示されている。ここでは、一方では、それが非束ビームのための源であるという事実の故に、他方では、具体的にはディスク形状データ担体８の外周１８にある複数の反射器の故に、光源１１によって生成される試験ビームが、ディスク形状データ担体８の中央領域から開始するディスク形状データ担体８の範囲に亘って分配されているので、１つの光源だけが設けられているにも拘わらず、試験ビームは円周に亘って分配された複数の受信器１３で受信されることが分かり得る。試験ビームの受信の結果、検出信号が受信器１３によって生成され、次に、図５乃至７を参照してより詳細に説明されるように、その検出信号が評価される。
【００３７】
信号が受信開口１２の外周上の少なくとも１つの受信器１３に受信される前に、放射方向に少なくとも近似的に対応する方向に本質的に沿って、試験ビームは少なくとも一度ディスク形状データ担体８を通過しなければならないことが、図３からさらに分かり得る。ディスク形状データ担体８は、本質的に試験ビームのための光源として使用されるので、ディスク形状データ担体８がその受信開口１２内に、換言すれば、その公称位置内に実際に適正に配置されるときにのみ、試験ビームによって引き起こされる検出信号が受信器１３内に生成され得る。よって、ディスク形状データ担体８又はそれによって形成される複数の伝送経路は、データ担体８の正しい位置を検出するために直接的に使用される。
【００３８】
再びＬＥＤによって形成される試験ビーム用の光源１１がディスク形状データ担体８の下に配置され、ディスク形状データ担体８内への試験ビームの適正導入を保証するために、ＬＥＤ１１によって生成される光ビームの複数の偏向が、順次、その伝播方向又はビーム方向に生じ、偏向素子１９，２０が図４に示されている。具体的には、偏向素子２０は、この場合には、ディスク形状データ担体８の回転駆動のために、駆動素子９内に統合され或いは収容され得る。
【００３９】
そのような偏向素子１９，２０の代わりに、光源１１の試験ビームがディスク形状データ担体８の縁部領域に導入されることを保証する対応する光導波路を設け得るので、装置１内のディスク形状データ担体８の適正存在又は位置を確認するために、試験ビームは、ディスク形状データ担体８の範囲の少なくとも１つの部分地域を通過する。
【００４０】
図４は、ディスク形状データ担体８内の電磁放射が、ディスク形状データ担体８の情報及び下方境界面での全反射によって本質的に伝播するので、電磁放射がディスク形状データ担体８内に導入されるとき、下方界面で全反射を用いることによって、上方及び下方界面を通過しうるよう、導入される試験ビームの少なくとも殆どが、適切に平面的角度でディスク形状データ担体８の材料に侵入することが保証されなければならない。
【００４１】
ディスク形状データ担体８は、普通、透明材料から成るので、装置１内のデータ担体８の正しい位置を確認することに関して、ディスク形状データ担体８を通過するときに達成され得る安全性の他に、追加的に、図３に示されるように、具体的にはディスク形状データ担体８に亘って分配されるときに可視光を使用するとき、設計効果が達成され得るので、例えば、データ担体８の縁部は試験ビームの色においてちらちら光り得る。
【００４２】
図５は、図５では如何なるより大きな詳細も示されていない再生装置内のディスク形状データ担体８の適正存在を確認する方法を実施するための本質的な構成素子の回路を示している。この回路は、試験信号を生成するためのドライバ２１を含み、その試験信号は、試験ビームを提供するための光源１１に供給され、その試験ビームはデータ担体８又はデータ担体８内に含まれる伝送経路２２に供給される。伝送経路によって概略的に示されているように、試験ビームがデータ担体８を少なくとも部分的に通過するや否や、試験ビームは、試験ビームを検出し且つ検出信号を生成する受信器１３に達し、信号処理は下流フィルタ２３及びコンパレータ２４を用いて遂行される。検出信号を形成するコンパレータ２４の出力信号は、制御装置を含む評価装置２５に利用可能とされ、もしその公称位置におけるディスク形状データ担体８の適正位置が確認されるならば、その評価装置２５は、出力部２６を介して、光学走査装置３（図５には示されていない）を活性化するための制御信号を出力する。代替的に、さらなる制御信号が、評価装置２５の出力部２７で出力され得る。もしディスク形状データ担体８の適正存在を表示する信号が少なくとも１つの受信器１３で検出され得ないならば、そのさらなる出力信号は、光学走査装置３が休止又は待機位置（例えば図１及び３に示されている）に移動されて戻ることを保証する。
【００４３】
少なくとも１つの受信器１３での検出信号の発生を確認することによって、簡単な評価を用いて管理することが可能であるが、図５の図面には、パルス信号が評価装置２５へのライン２８を介してドライバ２１に供給されることが追加的に示されているので、光源１１は対応してパルス試験ビームを出力する。この地点で、一般的に、例えば、振幅変調又はパルス幅変調又は如何なる他の適切な形態の変調をも有し得る変調信号が用いられ得ることが述べられるべきである。
【００４４】
続いて、ディスク形状データ担体８の正しい存在又は位置の場合には、パルス信号が受信器１３内に確認されるので、例えば、散乱光の安全性を増大し且つ環境的影響を低減するために、少なくとも１つの受信器１３で検出され或いは受信される検出信号のパルス形状及び／又はパルス幅は、ライン２８を介してドライバ２１に供給されるパルス形状及び／又はパルス幅と比較され、比較されるべき信号の、換言すれば、試験信号及び検出信号のパルス形状又はパルス幅又は振幅値が対応して評価されるときにのみ、光学走査装置３は活性化される。
【００４５】
図６に示される回路から、ディスク形状データ担体８の周りに配置される複数のセンサ又は受信器１３は、それらの信号が共通の収集又は加算接続点２９内に収集されるよう、互いに結合され、収集又は加算信号は再び評価装置２５に利用可能とされていることが分かり得る。図６に示される変形実施態様において、回路は、例えば、検出信号が全ての受信器１３に存在する場合に限り、光学走査装置３の活性化が起こるよう提供され得る。
【００４６】
図７に示される修正された変形実施態様において、複数の受信器１３からの検出信号は、本質的に直接的に評価装置２５に供給されるので、例えば、評価装置２５内に、もし所定数の受信器１３からの検出信号が存在するならば、ディスク形状データ担体８の正しい位置又は存在が確認され、引き続き、光学走査装置３が活性化される。
【００４７】
図１乃至４に示されるような、試験ビーム用の光源１１の本質的に中心的な配置、並びに、本質的に円周に沿ったディスク形状データ担体８の配置の代わりに、光源１１と受信器１３との間の相対的位置決めを逆転し得る。
【００４８】
例えば、光源１１をディスク形状データ担体８の円周領域に設けることができ、且つ、電磁放電をディスク形状データ担体８の周縁領域においてディスク形状データ担体８内に導入することができ、その場合には、例えば、複数の受信器１３がディスク形状データ担体８の円周に亘って分配された状態で同様に設けられることをさらに述べ得る。試験ビームが少なくとも１つの受信器１３によって受信され得る前に、ディスク形状データ担体８の範囲の少なくとも部分地域が、試験ビームによって通過されることが再び保証されなければならない。そのようなビーム経路又はそのような伝送経路は、例えば、参照番号２２によって、図５中に概略的に示されている。
【００４９】
図１乃至４に示されるような、ディスク形状データ担体８を配置し且つ保持するための収容開口１２のためのカバー又は蓋のない装置１の設計の代わりに、本方法を遂行するためのディスク形状データ担体８の適正配置を確認するための装置は、ディスク形状データ担体８のための追加的なカバーを備える装置１内にも統合され得る。
【００５０】
既に数度述べられたように、ディスク形状データ担体８の適正存在を確認する方法を遂行するための本発明に従った装置は、具体的には、それによって形成される安全装置の望ましくない操作又は迂回が可能でない或いは殆ど可能でないという事実を考慮すると、子供用玩具においての或いは子供用玩具としての装置１の設計内においての使用又は統合に特に適している。
【００５１】
多数の試験ビームを生成するために、多数の光源、例えば、発光ダイオードを設けることも可能であることもさらに述べられなければならない。しかしながら、発光ダイオードの代わりに、他の電気的又は電子的な光源を設けることも可能である。光源は、好ましくは、可視光を生成するよう設計される。しかしながら、赤外光又は紫外線光を生成するための光源を使用することも可能である。
【００５２】
データ担体が多数の伝送経路を有し得ることもさらに述べられなければならない。しかしながら、全ての場合において、各伝送経路がデータ担体の第一境界面で開始し、データ担体の第二境界面で終了し、その第二境界面は第一境界面と異なることが重要である。データ担体は磁気的に走査され得るデータ担体でもあり得ることがさらに述べられなければならない。
【図面の簡単な説明】
【００５３】
【図１】本発明に従った方法を実施するためのディスク形状データ担体の適正配置を確認するための本発明に従った装置を有する、ディスク形状データ担体、具体的には、ＣＤ又はＤＶＤ用の本発明に従った記録及び／又は再生装置を概略的に示す斜視図である。
【図２】図１に示される記録及び／又は再生装置を図１と類似する方法で示す側面図である。
【図３】図１に示される本発明に従った記録及び／又は再生装置の一部を概略的に示す平面図であり、ディスク形状データ担体はが挿入され、且つ、ディスク形状データ担体を通過する試験ビーム用の伝送経路が示されている。
【図４】変形実施態様を図２と類似の方法で拡大して示す側面図であり、光ビームはディスク形状データ担体内への導入のために偏向されている。
【図５】ディスク形状データ担体の適正存在を確認するための本発明に従った装置の回路を示す概略図である。
【図６】図５に示されるような回路を示す概略図であり、その設計は前記回路と比べて修正されている。
【図７】回路のさらに修正された設計を示す概略図である。
【図１】
2007531184.tif 000003
【図２】
2007531184.tif 000004
【図３】
2007531184.tif 000005
【図４】
2007531184.tif 000006
【図５】
2007531184.tif 000007
【図６】
2007531184.tif 000008
【図７】
2007531184.tif 000009
【国際調査報告】
2007531184.tif 000010
2007531184.tif 000011